(57)【要約】  本開示の態様は、ユーザ機器（ＵＥ）によるワイヤレス通信のための技術を提供する。例示的な方法は、ＵＥによって実施され、概して、物理ブロードキャスト・チャネル（ＰＢＣＨ）を受信することと、ＰＢＣＨにおける第１の１つまたは複数のビットに基づいて、ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定することと、を含む。【選択図】図５
2018509078.tif 000002
【特許請求の範囲】
【請求項１】
ユーザ機器（ＵＥ）によるワイヤレス通信のための方法であって、
物理ブロードキャスト・チャネル（ＰＢＣＨ）を受信することと、
前記ＰＢＣＨにおける第１の１つまたは複数のビットに基づいて、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定することと、
を備える方法。
【請求項２】
前記第１のタイプのアプリケーションは、マシン・タイプ通信（ＭＴＣ）アプリケーションを備え、
前記第２のタイプのアプリケーションは、非ＭＴＣアプリケーションを備える、請求項１に記載の方法。
【請求項３】
前記第１の１つまたは複数のビットは１ビットを備え、ここにおいて、ビット値の異なる組み合わせは、ＭＴＣまたは非ＭＴＣを指示する、請求項２に記載の方法。
【請求項４】
前記第１の１つまたは複数のビットは少なくとも２ビットを備え、ここにおいて、ビット値の異なる組み合わせは、カバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示する、請求項２に記載の方法。
【請求項５】
前記第１の１つまたは複数のビットのうちの１つまたは複数のビットは、前記第２の１つまたは複数のビットのうちの１つまたは複数のビットの目的を指示するサービス・インジケータを備える、請求項１に記載の方法。
【請求項６】
前記第１の１つまたは複数のビットの第１のビットは、マシン・タイプ通信（ＭＴＣ）インジケータを備え、
前記第１の１つまたは複数のビットの第２のビットは、カバレッジ・エンハンスメント（ＣＥ）インジケータを備える、請求項１に記載の方法。
【請求項７】
前記ＭＴＣおよびＣＥインジケータの値の第１の組み合わせは、前記第２の１つまたは複数のビットが保留されていることを指示し、
前記ＭＴＣおよびＣＥインジケータの値の第２の組み合わせは、前記第２の１つまたは複数のビットがシステム情報ブロック（ＳＩＢ）の時間周波数ポジション、前記ＳＩＢのトランスポート・ブロック・サイズ、制御フォーマット・インジケータ（ＣＦＩ）のうちの少なくとも１つを指示するために使用されることを指示する、請求項６に記載の方法。
【請求項８】
基地局（ＢＳ）によるワイヤレス通信のための方法であって、
物理ブロードキャスト・チャネル（ＰＢＣＨ）を送信することと、
前記ＰＢＣＨにおける第１の１つまたは複数のビットを介して、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示することと、
を備える方法。
【請求項９】
前記第１のタイプのアプリケーションは、マシン・タイプ通信（ＭＴＣ）アプリケーションを備え、
前記第２のタイプのアプリケーションは、非ＭＴＣアプリケーションを備える、請求項８に記載の方法。
【請求項１０】
前記第１の１つまたは複数のビットは１ビットを備え、ここにおいて、ビット値の異なる組み合わせは、ＭＴＣまたは非ＭＴＣを指示する、請求項９に記載の方法。
【請求項１１】
前記第１の１つまたは複数のビットは少なくとも２ビットを備え、ここにおいて、ビット値の異なる組み合わせは、カバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示する、請求項９に記載の方法。
【請求項１２】
前記第１の１つまたは複数のビットのうちの１つまたは複数のビットは、前記第２の１つまたは複数のビットのうちの１つまたは複数のビットの目的を指示するサービス・インジケータを備える、請求項８に記載の方法。
【請求項１３】
前記第１の１つまたは複数のビットの第１のビットは、ＭＴＣインジケータを備え、
前記第１の１つまたは複数のビットの第２のビットは、カバレッジ・エンハンスメント（ＣＥ）インジケータを備える、請求項８に記載の方法。
【請求項１４】
前記ＭＴＣおよびＣＥインジケータの値の第１の組み合わせは、前記第２の１つまたは複数のビットが保留されていることを指示し、
前記ＭＴＣおよびＣＥインジケータの値の第２の組み合わせは、前記第２の１つまたは複数のビットがシステム情報ブロック（ＳＩＢ）の時間周波数ポジション、前記ＳＩＢのトランスポート・ブロック・サイズ、制御フォーマット・インジケータ（ＣＦＩ）のうちの少なくとも１つを指示するために使用されることを指示する、請求項１３に記載の方法。
【請求項１５】
ワイヤレス通信のための装置であって、
物理ブロードキャスト・チャネル（ＰＢＣＨ）を受信するための手段と、
前記ＰＢＣＨにおける第１の１つまたは複数のビットに基づいて、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定するための手段と、
を備える装置。
【請求項１６】
前記第１のタイプのアプリケーションは、マシン・タイプ通信（ＭＴＣ）アプリケーションを備え、
前記第２のタイプのアプリケーションは、非ＭＴＣアプリケーションを備える、請求項１５に記載の装置。
【請求項１７】
前記第１の１つまたは複数のビットは１ビットを備え、ここにおいて、ビット値の異なる組み合わせは、ＭＴＣまたは非ＭＴＣを指示する、請求項１６に記載の装置。
【請求項１８】
前記第１の１つまたは複数のビットは少なくとも２ビットを備え、ここにおいて、ビット値の異なる組み合わせは、カバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示する、請求項１６に記載の装置。
【請求項１９】
前記第１の１つまたは複数のビットのうちの１つまたは複数のビットは、前記第２の１つまたは複数のビットのうちの１つまたは複数のビットの目的を指示するサービス・インジケータを備える、請求項１５に記載の装置。
【請求項２０】
前記第１の１つまたは複数のビットの第１のビットは、ＭＴＣインジケータを備え、
前記第１の１つまたは複数のビットの第２のビットは、カバレッジ・エンハンスメント（ＣＥ）インジケータを備える、請求項１５に記載の装置。
【請求項２１】
前記ＭＴＣおよびＣＥインジケータの値の第１の組み合わせは、前記第２の１つまたは複数のビットが保留されていることを指示し、
前記ＭＴＣおよびＣＥインジケータの値の第２の組み合わせは、前記第２の１つまたは複数のビットがシステム情報ブロック（ＳＩＢ）の時間周波数ポジション、前記ＳＩＢのトランスポート・ブロック・サイズ、制御フォーマット・インジケータ（ＣＦＩ）のうちの少なくとも１つを指示するために使用されることを指示する、請求項２０に記載の装置。
【請求項２２】
ワイヤレス通信のための装置であって、
物理ブロードキャスト・チャネル（ＰＢＣＨ）を送信するための手段と、
前記ＰＢＣＨにおける第１の１つまたは複数のビットを介して、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示するための手段と、を備える装置。
【請求項２３】
前記第１のタイプのアプリケーションは、マシン・タイプ通信（ＭＴＣ）アプリケーションを備え、
前記第２のタイプのアプリケーションは、非ＭＴＣアプリケーションを備える、請求項２２に記載の装置。
【請求項２４】
前記第１の１つまたは複数のビットは１ビットを備え、ここにおいて、ビット値の異なる組み合わせは、ＭＴＣまたは非ＭＴＣを指示する、請求項２３に記載の装置。
【請求項２５】
前記第１の１つまたは複数のビットは少なくとも２ビットを備え、ここにおいて、ビット値の異なる組み合わせカバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示する、請求項２３に記載の装置。
【請求項２６】
前記第１の１つまたは複数のビットのうちの１つまたは複数のビットは、前記第２の１つまたは複数のビットのうちの１つまたは複数のビットの目的を指示するサービス・インジケータを備える、請求項２２に記載の装置。
【請求項２７】
前記第１の１つまたは複数のビットの第１のビットは、ＭＴＣインジケータを備え、
前記第１の１つまたは複数のビットの第２のビットは、カバレッジ・エンハンスメント（ＣＥ）インジケータを備える、請求項２２に記載の装置。
【請求項２８】
前記ＭＴＣおよびＣＥインジケータの値の第１の組み合わせは、前記第２の１つまたは複数のビットが保留されていることを指示し、
前記ＭＴＣおよびＣＥインジケータの値の第２の組み合わせは、前記第２の１つまたは複数のビットがシステム情報ブロック（ＳＩＢ）の時間周波数ポジション、前記ＳＩＢのトランスポート・ブロック・サイズ、制御フォーマット・インジケータ（ＣＦＩ）のうちの少なくとも１つを指示するために使用されることを指示する、請求項２７に記載の装置。
【請求項２９】
ワイヤレス通信のための装置であって、
物理ブロードキャスト・チャネル（ＰＢＣＨ）を受信するように構成されている受信機と、
前記ＰＢＣＨにおける第１の１つまたは複数のビットに基づいて、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定するように構成されている少なくとも１つのプロセッサと、
前記少なくとも１つのプロセッサに結合されたメモリと、
を備える装置。
【請求項３０】
ワイヤレス通信のための装置であって、
物理ブロードキャスト・チャネル（ＰＢＣＨ）を送信するように構成されている送信機と、
前記ＰＢＣＨにおける第１の１つまたは複数のビットを介して、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示するように構成されている少なくとも１つのプロセッサと、
前記少なくとも１つのプロセッサに結合されたメモリと、
を備える装置。
【請求項３１】
ユーザ機器（ＵＥ）によるワイヤレス通信のためのコンピュータ可読媒体であって、前記コンピュータ可読媒体は、記憶されたコンピュータ実行可能コードを有しており、
物理ブロードキャスト・チャネル（ＰＢＣＨ）を受信するためのコードと、
前記ＰＢＣＨにおける第１の１つまたは複数のビットに基づいて、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定するためのコードと、
を備えるコンピュータ可読媒体。
【請求項３２】
基地局（ＢＳ）によるワイヤレス通信のためのコンピュータ可読媒体であって、前記コンピュータ可読媒体は、記憶されたコンピュータ実行可能コードを有しており、
物理ブロードキャスト・チャネル（ＰＢＣＨ）を送信するためのコードと、
前記ＰＢＣＨにおける第１の１つまたは複数のビットを介して、前記ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示するためのコードと、
を備えるコンピュータ可読媒体。
【発明の詳細な説明】
【関連出願の相互参照】
【０００１】
[0001]  本願は、２０１５年２月１１日に出願され「SERVICE TYPE INDICATOR IN MASTER INFORMATION BLOCK (MIB)」と題された米国仮出願第６２／１１５，１１４号と、２０１６年２月１０日に出願された米国出願第１５／０４０，９０７号との優先権を主張し、これらの両方が、本願の譲受人に譲渡され、本書に参照により明確に組み込まれる。
【技術分野】
【０００２】
[0002]  本開示の特定の態様は、概して、ワイヤレス通信に関し、より具体的には、特定のワイヤレス・デバイス、例えばカバレッジ・エンハンスメントを有する（１つまたは複数の）マシン・タイプ通信（ＭＴＣ：machine type communication）デバイス、に関わるマスター情報ブロック（ＭＩＢ：master information block）を取得することに関する。
【背景技術】
【０００３】
[0003]  ワイヤレス通信システムは、音声、データなどのようなさまざまなタイプの通信コンテンツを提供するために広く展開されている。これらのシステムは、利用可能なシステム・リソース（例えば、帯域幅および送信電力）を共有することによって複数のユーザとの通信をサポートすることが可能である多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、ロング・ターム・エボリューション（ＬＴＥ（登録商標））アドバンスド・システムを含む第３世代パートナーシップ・プロジェクト（３ＧＰＰ（登録商標））ＬＴＥ、および直交周波数分割多元接続（ＯＦＤＭＡ）システムを含む。
【０００４】
[0004]  一般的に、ワイヤレス多元接続通信システムは、多数のワイヤレス端末のための通信を同時にサポートすることができる。各端末は、順方向および逆方向リンク上における送信を介して１つまたは複数の基地局と通信する。順方向リンク（または、ダウンリンク）は、基地局から端末までの通信リンクを指し、逆方向リンク（または、アップリンク）は、端末から基地局までの通信リンクを指す。この通信リンクは、単一入力単一出力、多入力単一出力、または多入力多出力（ＭＩＭＯ）システムによって確立され得る。
【０００５】
[0005]  ワイヤレス通信ネットワークは、多数のワイヤレス・デバイスのための通信をサポートすることができる多数の基地局を含み得る。ワイヤレス・デバイスは、ユーザ機器（ＵＥ）を含み得る。いくつかのＵＥは、マシン・タイプ通信（ＭＴＣ）のＵＥと見なされ得、それは、遠隔デバイスを含み得、基地局、別の遠隔デバイス、または何らかの他のエンティティと通信し得る。マシン・タイプ通信（ＭＴＣ）は、通信の少なくとも一端における少なくとも１つの遠隔デバイスを含む通信を指し、人間の関与（human interaction）を必ずしも必要としない１つまたは複数のエンティティを含む、データ通信の形式を含み得る。ＭＴＣ ＵＥは、例えば、公衆地上モバイル・ネットワーク（ＰＬＭＮ：Public Land Mobile Networks）を通してＭＴＣサーバおよび／または他のＭＴＣデバイスとＭＴＣ通信することができるＵＥを含み得る。
【発明の概要】
【０００６】
[0006]  本開示のシステム、方法、およびデバイスは各々、いくつかの態様を有し、これらのうちのいずれも、その望ましい属性を単独で担うものではない。後続する特許請求の範囲によって表される本開示の範囲を限定することなしに、ここでいくつかの特徴が簡潔に論述される。本論述を考慮した後、特に「詳細な説明」と題されたセクションを読んだ後、当業者は、本開示の特徴がワイヤレス・ネットワーク内におけるアクセス・ポイントと局との間での改善された通信を含む利点をどのように提供するかを理解するであろう。
【０００７】
[0007]  本開示の特定の態様は、特定のデバイス、例えばＭＴＣデバイス、および／または強化型または発展型ＭＴＣ（ｅＭＴＣ）デバイスに対して（ブロードキャストシグナリング内で）１つまたは複数のタイプのアプリケーションのためのサポートを指示するための装置および技術を提供する。
【０００８】
[0008]  本開示の特定の態様は、ユーザ機器（ＵＥ）によるワイヤレス通信のための方法を提供する。その方法は、概して、物理ブロードキャスト・チャネル（ＰＢＣＨ）を受信することを含む。方法はまた、ＰＢＣＨにおける第１の１つまたは複数のビットに基づいて、ＰＢＣＨにおける第２の１つまたは複数のビットが、第１のタイプのアプリケーションに関連する通信のための制御情報を指示する（indicate）ために使用されるか、あるいは第２のタイプのアプリケーションに関連する通信のための制御情報を指示するために使用されるかを、決定することを含む。
【０００９】
[0009]  本開示の特定の態様は、基地局（ＢＳ）によるワイヤレス通信のための方法を提供する。その方法は、概して、ＰＢＣＨを送信することを含む。方法はまた、ＰＢＣＨにおける第１の１つまたは複数のビットを介して、ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示することを含む。
【００１０】
[0010]  本開示の特定の態様は、ワイヤレス通信のための装置を提供する。その装置は、概して、ＰＢＣＨを受信するための手段を含む。装置はまた、ＰＢＣＨにおける第１の１つまたは複数のビットに基づいて、ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定するための手段を含む。
【００１１】
[0011]  本開示の特定の態様は、ワイヤレス通信のための装置を提供する。その装置は、概して、ＰＢＣＨを送信するための手段を含む。装置はまた、ＰＢＣＨにおける第１の１つまたは複数のビットを介して、ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示するための手段を含む。
【００１２】
[0012]  本開示の特定の態様は、ワイヤレス通信のための装置を提供する。装置は、概して、ＰＢＣＨを受信するように構成されている受信機を含む。装置はまた、ＰＢＣＨにおける第１の１つまたは複数のビットに基づいて、ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定するように構成されている少なくとも１つのプロセッサを含む。装置はさらに、少なくとも１つのプロセッサに結合されたメモリを含む。
【００１３】
[0013]  本開示の特定の態様は、ワイヤレス通信のための装置を提供する。装置は、概して、ＰＢＣＨを送信するように構成されている送信機を含む。装置はまた、ＰＢＣＨにおける第１の１つまたは複数のビットを介して、ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示するように構成されている少なくとも１つのプロセッサを含む。装置はさらに、少なくとも１つのプロセッサに結合されたメモリを含む。
【００１４】
[0014]  本開示の特定の態様は、記憶されたコンピュータ実行可能コードを有するコンピュータ可読媒体を提供する。コンピュータ実行可能コードは、概して、ＰＢＣＨを受信することと、ＰＢＣＨにおける第１の１つまたは複数のビットに基づいて、ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定することと、を行うためのコードを含む。
【００１５】
[0015]  本開示の特定の態様は、記憶されたコンピュータ実行可能コードを有するコンピュータ可読媒体を提供する。コンピュータ実行可能コードは、概して、ＰＢＣＨを送信することと、ＰＢＣＨにおける第１の１つまたは複数のビットを介して、ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示することと、を行うためのコードを含む。
【００１６】
[0016]  方法、装置、システム、コンピュータ・プログラム製品、コンピュータ可読媒体、および処理システムを含む多数の他の態様が提供される。前述した目的および関連した目的の達成のために、１つまたは複数の態様は、以下で十分に説明され、特許請求の範囲において特に指摘された特徴を備える。以下の説明および添付されている図面で、１つまたは複数の態様の特定の例示的な特徴を詳細に述べている。しかしながら、これらの特徴は、さまざまな態様の原理が使用され得るさまざまな方法のうちのごく一部しか示しておらず、本説明は、そのような態様およびそれらの同等物の全てを含むことが意図されている。
【００１７】
[0017]  本開示の上記された特徴が詳細に理解されることができるように、上記において簡潔に要約されたより詳細な説明が態様への参照によりなされ得、それらのうちのいくつかは、添付された図面内において例示される。しかしながら、添付された図面は、本開示の特定の典型的な態様のみを例示しており、したがって、その説明が他の同等に効果的な態様を認め得ることから、その範囲を限定していると見なされるべきではないことに留意されたい。
【図面の簡単な説明】
【００１８】
【図１】[0018]  図１は、本開示の特定の態様にしたがった、ワイヤレス通信ネットワークの例を概念的に図示するブロック図である。
【図２】[0019]  図２は、本開示の特定の態様にしたがった、ワイヤレス通信ネットワークにおいてユーザ機器（ＵＥ）と通信している基地局の例を概念的に図示するブロック図を示す。
【図３】[0020]  図３は、本開示の特定の態様にしたがった、ワイヤレス通信ネットワークにおけるフレーム構造の例を概念的に図示するブロック図である。
【図４】[0021]  図４は、本開示の特定の態様にしたがった、通常のサイクリック・プレフィクスを有する２つの例示的なサブフレーム・フォーマットを概念的に図示するブロック図である。
【図５】[0022]  図５は、本開示の特定の態様にしたがって、ユーザ機器によって実施され得る実例的な動作５００を例示する。
【図６】[0023]  図６は、本開示の特定の態様にしたがって、基地局によって実施され得る実例的な動作６００を例示する。
【詳細な説明】
【００１９】
[0024]  理解を容易にするために、同一の参照番号が、可能な場合、図面に共通である同一の要素を指定するために使用されている。１つの実施形態において開示される要素は、具体的な記載なしに他の実施形態に有益に利用され得ることが企図される。
【００２０】
[0025]  本開示の態様は、マシン・タイプ通信（ＭＴＣ）ベースのユーザ機器（ＵＥ）と基地局との間の有効な通信を可能にするのに役立ち得る技術を提供する。例えば、その技術は、特定のデバイス、例えばＭＴＣデバイス、および／またはｅＭＴＣデバイスへの（ブロードキャストシグナリング内で）１つまたは複数のタイプのアプリケーションのためのサポートの指示を可能にし得る。１つまたは複数のタイプのアプリケーションは、ＭＴＣ／ｅＭＴＣに関わるアプリケーション、ＭＴＣ／ｅＭＴＣに関連しないアプリケーション、および／または他のタイプのアプリケーションを含み得る。簡潔化のために、ＭＴＣは、ＭＴＣ、ｅＭＴＣ、または他のバージョンのＭＴＣに言及し得る。
【００２１】
[0026]  本書において説明される技術は、ＣＤＭＡ、ＴＤＭＡ、ＦＤＭＡ、ＯＦＤＭＡ、ＳＣ−ＦＤＭＡおよび他のネットワークのようなさまざまなワイヤレス通信ネットワークに対して使用され得る。「ネットワーク」および「システム」という用語は、交換可能に使用されることが多い。ＣＤＭＡネットワークは、ユニバーサル地上無線アクセス（ＵＴＲＡ：Universal Terrestrial Radio Access）、ｃｄｍａ２０００などのような無線技術をインプリメントし得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、ＩＳ−８５６規格をカバーする。ＴＤＭＡネットワークは、モバイル通信のためのグローバルシステム（ＧＳＭ）（登録商標）のような無線技術をインプリメントし得る。ＯＦＤＭＡネットワークは、発展型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどのような無線技術をインプリメントし得る。ＵＴＲＡおよびＥ−ＵＴＲＡは、ユニバーサル・モバイル通信システム（ＵＭＴＳ）の一部である。周波数分割複信（ＦＤＤ）および時分割複信（ＴＤＤ）の両方における３ＧＰＰロング・ターム・エボリューション（ＬＴＥ）およびＬＴＥ−アドバンスト（ＬＴＥ−Ａ）は、ダウンリンク上ではＯＦＤＭＡを、アップリンク上ではＳＣ−ＦＤＭＡを採用する、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナーシップ・プロジェクト」（３ＧＰＰ）と称される機関からの文書に説明されている。ｃｄｍａ２０００およびＵＭＢは、「第３世代パートナーシップ・プロジェクト２」（３ＧＰＰ２）と称される機関からの文書に説明されている。本書において説明される技術は、上述されたワイヤレス・ネットワークおよび無線技術ならびに他のワイヤレス・ネットワークおよび無線技術に対して使用され得る。明確性のために、技術の特定の態様は、ＬＴＥ／ＬＴＥアドバンスドについて以下に説明され、ＬＴＥ／ＬＴＥ−Ａという専門用語は、以下の説明の大半において使用される。ＬＴＥおよびＬＴＥ−Ａは、概してＬＴＥと呼ばれる。
【００２２】
[0027]  図１は、本開示の態様が実行され得るワイヤレス通信ネットワーク１００の例を例示する。例えば、本書に示される技術は、第１のタイプのアプリケーションおよび／または第２のタイプのアプリケーションに関連する通信のための制御情報を、１つまたは複数のＢＳによってブロードキャストされる物理ブロードキャスト・チャネル（ＰＢＣＨ）における第１の１つまたは複数のビットに基づいて、決定するために、ＵＥによって使用され得る。
【００２３】
[0028]  ワイヤレス通信ネットワーク１００は、ＬＴＥネットワークまたは何らかの他のワイヤレス・ネットワークであり得る。ワイヤレス通信ネットワーク１００は、多数の発展型ノードＢ（ｅＮＢ）１１０および他のネットワーク・エンティティを含み得る。ｅＮＢは、ユーザ機器（ＵＥ）と通信するエンティティであり、基地局、ノードＢ、アクセス・ポイント（ＡＰ）などとも呼ばれ得る。各ｅＮＢは、特定の地理的エリアのための通信カバレッジを提供し得る。３ＧＰＰにおいて、用語「セル」は、用語が使用される文脈に依存して、このカバレッジ・エリアをサービングする（serving）ｅＮＢおよび／またはｅＮＢサブシステムのカバレッジ・エリアに言及することができる。
【００２４】
[0029]  ｅＮＢは、マクロ・セル、ピコ・セル、フェムト・セル、および／または他のタイプのセルに対して通信カバレッジを提供し得る。マクロ・セルは、比較的大きい地理的エリア（例えば、半径数キロメートル）をカバーし得、サービスに加入しているＵＥによる無制限のアクセスを可能にし得る。ピコ・セルは、比較的小さい地理的エリアをカバーし得、サービスに加入しているＵＥによる無制限のアクセスを可能にし得る。フェムト・セルは、比較的小さい地理的エリア（例えば、ホーム）をカバーし得、このフェムト・セルと関連付けされたＵＥ（例えば、クローズド加入者グループ（ＣＳＧ）のＵＥ）による制限付きアクセスを可能にし得る。マクロ・セルに関わるｅＮＢは、マクロｅＮＢと呼ばれ得る。ピコ・セルに関わるｅＮＢは、ピコｅＮＢと呼ばれ得る。フェムト・セルに関わるeＮＢは、フェムトeＮＢまたはホームeＮＢ（ＨｅＮＢ）と呼ばれ得る。図１に示される例において、ｅＮＢ１１０ａは、マクロ・セル１０２ａに関わるマクロｅＮＢであり得、ｅＮＢ１１０ｂは、ピコ・セル１０２ｂに関わるピコｅＮＢであり得、ｅＮＢ１１０ｃは、フェムト・セル１０２ｃに関わるフェムトｅＮＢであり得る。ｅＮＢは、１つまたは複数（例えば、３つ）のセルをサポートし得る。「ｅＮＢ」、「基地局」、および「セル」という用語は、本書では交換可能に使用され得る。
【００２５】
[0030]  ワイヤレス通信ネットワーク１００はまた、中継局（relay station）を含み得る。中継局は、アップストリーム局（例えば、ｅＮＢまたはＵＥ）からのデータの送信を受信し、ダウンストリーム局（例えば、ＵＥまたはｅＮＢ）へのデータの送信を送ることができるエンティティである。中継局は、また、他のＵＥのための送信を中継することができるＵＥであり得る。図１に示される例において、中継（局）ｅＮＢ１１０ｄは、ｅＮＢ１１０ａとＵＥ１２０ｄの間の通信を容易にするために、マク    ロｅＮＢ１１０ａおよびＵＥ１２０ｄと通信し得る。中継局は、また、中継ｅＮＢ、中継基地局、中継器などと呼ばれ得る。
【００２６】
[0031]  ワイヤレス通信ネットワーク１００は、異なるタイプのｅＮＢ、例えば、マクロｅＮＢ、ピコｅＮＢ、フェムトｅＮＢ、中継ｅＮＢなどを含む異機種ネットワークであり得る。これらの異なるタイプのｅＮＢは、ワイヤレス通信ネットワーク１００において異なる送信電力レベル、異なるカバレッジ・エリア、および干渉に対する異なる影響を有し得る。例えば、マクロｅＮＢが、高い送信電力レベル（例えば、５乃至４０Ｗ）を有し得るのに対して、ピコｅＮＢ、フェムトｅＮＢ、および中継ｅＮＢは、より低い送信電力レベル（例えば、０．１乃至２Ｗ）を有し得る。
【００２７】
[0032]  ネットワーク・コントローラ１３０は、ｅＮＢのセットに結合され得、これらｅＮＢのための協調と制御を提供し得る。ネットワーク・コントローラ１３０は、バックホールを介してｅＮＢと通信し得る。ｅＮＢはまた、例えば、ワイヤレスまたはワイヤーライン・バックホールを介して間接的に、あるいは直接、互いに通信し得る。
【００２８】
[0033]  ＵＥ１２０（例えば、１２０ａ、１２０ｂ、１２０ｃ）は、ワイヤレス通信ネットワーク１００にわたって分散され得、各ＵＥは、固定式または移動式であり得る。ＵＥはまた、アクセス端末、端末、局、モバイル局（ＭＳ）、加入者ユニット、局（ＳＴＡ）などと呼ばれ得る。ＵＥの例は、セルラー式携帯電話（例えばスマート・フォン）、携帯情報端末（ＰＤＡ）、ワイヤレス・モデム、ワイヤレス通信デバイス、ハンドヘルド・デバイス、ラップトップ・コンピュータ、コードレス電話、ワイヤレス・ローカル・ループ（ＷＬＬ）局、タブレット、ネットブック、スマートブック、ウルトラブック、ゲーム・デバイス、ナビゲーション・デバイス、バーチャル・リアリティ・デバイス、ウェアラブル・デバイス（例えばスマート・グラス／ゴーグル／ヘッドアップ・ディスプレイ、スマート・ウォッチ、スマート・リストバンド、スマート・クロージング）、ドローン、ロボット／ロボット・デバイス、車両デバイス（vehicular device）、医療デバイスなどを含み得る。図１において、両矢印を有する実線は、ＵＥとサービングｅＮＢとの間での所望の送信を示し、サービングｅＮＢは、ダウンリンクおよび／またはアップリンク上においてＵＥにサービングするように指定されたｅＮＢである。両矢印付きの点線は、ＵＥとｅＮＢとの間の潜在的に干渉する送信を示す。
【００２９】
[0034]  ワイヤレス通信ネットワーク１００（例えばＬＴＥネットワーク）における１つまたは複数のＵＥ１２０はまた、低コスト、低データ・レート・デバイス、例えば、低コストＭＴＣ ＵＥ、低コストｅＭＴＣ ＵＥ、低コスト狭帯域のモノのインターネット（ＮＢ−ＩｏＴ：narrowband internet of things）ＵＥなど、であり得る。ＭＴＣ／ｅＭＴＣ ＵＥは、例えば、センサ、メータ、モニタ、ロケーション・タグ、ドローン、トラッカ（tracker）、ロボット／ロボット・デバイスなどを含む。ＭＴＣデバイスのような特定のデバイスのカバレッジを拡張するために、「バンドリング（bundling）」が使用され得、これにおいて、特定の送信は送信のバンドルとして送られ、例えば、同じ情報が複数のサブフレームにわたって送信される。ＭＴＣ／ｅＭＴＣ ＵＥ、ならびに他のタイプのＵＥは、ＮＢ−ＩｏＴデバイスのような、あらゆるモノのインターネット（ＩｏＥ：internet of everything）デバイス、またはモノのインターネット（ＩｏＴ：internet of things）デバイスとしてインプリメントされ得る。低コストＵＥは、ＬＴＥネットワークにおいてレガシおよび／または先進型ＵＥと共存し得、ワイヤレス・ネットワークにおける他のＵＥ（例えば非低コストＵＥ）と比較すると制限された１つまたは複数の能力を有し得る。例えば、ＬＴＥ Ｒｅｌ−１２において、ＬＴＥネットワークにおけるレガシおよび／または先進型ＵＥと比較すると、低コストＵＥは、次のうちの１つまたは複数をともなって動作し得る：（レガシＵＥと比較して）最大帯域幅の縮小、単一受信無線周波数（ＲＦ）（single receive radio frequency）チェーン、ピーク速度の低下（例えば、トランスポート・ブロック・サイズ（ＴＢＳ）に関わる最大１０００ビットがサポートされ得る）、送信パワーの低下、ランク１送信（rank 1 transmission）、半二重（half duplex）オペレーションなど。いくつかの場合では、半二重オペレーションがサポートされる場合、低コストＵＥは、送信動作から受信動作（または受信動作から送信動作）への緩和された切り替えタイミング（relaxed switching timing）を有し得る。例えば、ある場合では、レガシおよび／または先進型ＵＥに関わる２０マイクロ秒（μｓ）の切り替えタイミングと比較して、低コストＵＥは、１ミリ秒（ｍｓ）の緩和された切り替えタイミングを有し得る。
【００３０】
[0035]  いくつかの場合では、（例えばＬＴＥ Ｒｅｌ−１２における）低コストＵＥはまた、ＬＴＥネットワークにおけるレガシおよび／または先進型ＵＥがダウンリンク（ＤＬ）制御チャネルをモニタするのと同じ（または同様の）方法で、ＤＬ制御チャネルをモニタすることが可能であり得る。例えば、低コストＵＥは、（例えば物理ダウンリンク制御チャネル（ＰＤＣＣＨ）におけるような）サブフレームの最初の少しのシンボル（the first few symbols）において広帯域制御チャネルをモニタし得、ならびに比較的狭帯域を占めるが（例えば強化型ＰＤＣＣＨ（ｅＰＤＣＣＨ）におけるような）サブフレームの長さにわたる狭帯域制御チャネルをモニタし得る。
【００３１】
[0036]  ワイヤレス通信ネットワーク１００は、ＭＴＣ動作をサポートすることに加えて、またはその代わりとして、さらなるＭＴＣエンハンスメント（例えばｅＭＴＣ動作）をサポートし得る。例えば、低コストｅＭＴＣ ＵＥは、（例えば１．４／３／５／１０／１５／２０ＭＨｚにおける）より広いシステム帯域幅内に共存すると同時に、（例えば、利用可能なシステム帯域幅から分割された６個のリソース・ブロック（ＲＢ）または１．４ＭＨｚの特定の狭帯域割当てに制限された）狭帯域動作をサポートすることが可能であり得る。低コストｅＭＴＣ ＵＥはまた、１つまたは複数のカバレッジ・モードの動作をサポートすることが可能であり得る。例えば、低コストｅＭＴＣ ＵＥは、１５ｄＢまでのカバレッジ・エンハンスメントをサポートすることが可能であり得る。
【００３２】
[0037]  本書で使用される場合、制限された通信リソースを有するデバイス、例えばＭＴＣデバイス、ｅＭＴＣデバイス、ＩｏＴデバイスなど、は、概して低コストＵＥと呼ばれる。同様に、レガシ・デバイス、例えば、（例えばＬＴＥにおける）レガシおよび／または先進型ＵＥは、概して非低コストＵＥと呼ばれる。
【００３３】
[0038]  図２は、ＢＳ／ｅＮＢ １１０およびＵＥ １２０の設計のブロック図であり、それは、それぞれ図１における複数のＢＳ／ｅＮＢのうちの１つおよび複数のＵＥ１２０のうちの１つであり得る。ＢＳ１１０には、Ｔ個のアンテナ２３４ａ乃至２３４ｔが装備され得、ＵＥ １２０は、Ｒ個のアンテナ２５２ａ乃至２５２ｒが装備され得、ここにおいて、通例Ｔ≧１およびＲ≧１である。
【００３４】
[0039]  ＢＳ１１０において、送信プロセッサ２２０は、１つまたは複数のＵＥのためにデータ・ソース２１２からデータを受信し、ＵＥから受信されたチャネル品質インジケータ（ＣＱＩ）に基づいて各ＵＥのために１つまたは複数の変調およびコーディング・スキーム（ＭＣＳ：modulation and coding schemes）を選択し、そのＵＥのために選択された（１つまたは複数の）ＭＣＳに基づいてＵＥごとにデータを処理（例えば、エンコードおよび変調）し、すべてのＵＥのためにデータ・シンボルを提供し得る。送信プロセッサ２２０はまた、（例えば、準静的リソース分割情報（ＳＲＰＩ：semi-static resource partitioning information）などに関わる）システム情報、および制御情報（例えば、ＣＱＩ要求、グラント（grant）、上位層シグナリングなど）を処理し、オーバーヘッド・シンボルおよび制御シンボルを提供し得る。プロセッサ２２０はまた、基準信号（例えば、共通基準信号（ＣＲＳ：common reference signal））および同期信号（例えば、プライマリ同期信号（ＰＳＳ）およびセカンダリ同期信号（ＳＳＳ））のための基準シンボルを生成し得る。送信（ＴＸ）複数入力複数出力（ＭＩＭＯ）プロセッサ２３０は、適用可能である場合、データ・シンボル、制御シンボル、オーバーヘッド・シンボル、および／または基準シンボルに空間処理（例えば、プリコーディング）を実施し得、Ｔ個の変調器（ＭＯＤ）２３２ａないし２３２ｔにＴ個の出力シンボル・ストリームを提供し得る。各ＭＯＤ２３２は、出力サンプル・ストリームを取得するために（例えば、ＯＦＤＭなどのために）それぞれの出力シンボル・ストリームを処理し得る。各ＭＯＤ２３２はさらに、ダウンリンク信号を取得するために、出力サンプル・ストリームを処理（例えば、アナログへの変換、増幅、フィルタリング、およびアップコンバート）し得る。変調器２３２ａ乃至２３２ｔからのＴ個のダウンリンク信号は、それぞれ、Ｔ個のアンテナ２３４ａ乃至２３４ｔを介して送信され得る。
【００３５】
[0040]  ＵＥ１２０では、アンテナ２５２ａ乃至２５２ｒは、ＢＳ１１０および／または他のＢＳからダウンリンク信号を受信し得、それぞれ復調器（ＤＥＭＯＤ）２５４ａ乃至２５４ｒに受信信号を提供し得る。各ＤＥＭＯＤ２５４は、入力サンプルを取得するために、それの受信信号を調整（例えば、フィルタリング、増幅、ダウンコンバート、およびデジタル化）し得る。各ＤＥＭＯＤ２５４はさらに、受信シンボルを取得するために、（例えば、ＯＦＤＭなどのために）入力サンプルを処理し得る。ＭＩＭＯ検出器２５６は、すべてのＲ個の復調器２５４ａ乃至２５４ｒから受信シンボルを取得し得、適用可能である場合、受信シンボルにＭＩＭＯ検出を実施し、検出されたシンボルを提供し得る。受信プロセッサ２５８は、検出されたシンボルを処理（例えば、復調および復号）し、データ・シンク２６０にＵＥ１２０のための復号されたデータを提供し、コントローラ／プロセッサ２８０に復号された制御情報およびシステム情報を提供し得る。チャネル・プロセッサは、基準信号受信電力（ＲＳＲＰ：reference signal received power）、受信信号強度インジケータ（ＲＳＳＩ：received signal strength indicator）、基準信号受信品質（ＲＳＲＱ：reference signal received quality）、ＣＱＩなどを決定し得る。
【００３６】
[0041]  アップリンク上で、ＵＥ １２０において、送信プロセッサ２６４は、データ・ソース２６２からのデータ、およびコントローラ／プロセッサ２８０からの（例えば、ＲＳＲＰ、ＲＳＳＩ、ＲＳＲＱ、ＣＱＩなどを備える報告に関わる）制御情報を受信し、処理し得る。プロセッサ２６４はまた、１つまたは複数の基準信号のための基準シンボルを生成し得る。送信プロセッサ２６４からのシンボルは、適用可能である場合、ＴＸ ＭＩＭＯプロセッサ２６６によってプリコーディングされ、（例えば、ＳＣ−ＦＤＭ、ＯＦＤＭなどのために）ＭＯＤ２５４ａ乃至２５４ｒによってさらに処理され、ＢＳ１１０に送信され得る。ＢＳ１１０では、ＵＥ１２０および他のＵＥからのアップリンク信号は、アンテナ２３４によって受信され、ＤＥＭＯＤ２３２によって処理され、適用可能である場合、ＭＩＭＯ検出器２３６によって検出され、ＵＥ１２０によって送られた復号されたデータおよび制御情報を取得するために受信プロセッサ２３８によってさらに処理され得る。プロセッサ２３８は、データ・シンク２３９には復号されたデータを、コントローラ／プロセッサ２４０には復号された制御情報を、提供し得る。ＢＳ１１０は、通信ユニット２４４を含み、通信ユニット２４４を介してネットワーク・コントローラ１３０に通信し得る。ネットワーク・コントローラ１３０は、通信ユニット２９４、コントローラ／プロセッサ２９０、およびメモリ２９２を含み得る。
【００３７】
[0042]  コントローラ／プロセッサ２４０および２８０は、ＢＳ１１０およびＵＥ１２０における動作を、それぞれ、命令し得る。例えば、コントローラ／プロセッサ２４０、および／または、ＢＳ１１０における別のプロセッサおよびモジュールは、図６に例示される動作６００、および／または、本書に説明される技術に関わる他のプロセスを、実施または命令し得る。同様に、コントローラ／プロセッサ２８０、および／または、ＵＥ１２０における他のプロセッサおよびモジュールは、図５に例示される動作５００、および／または、本書に説明される技術に関わるプロセスを、実施または命令し得る。メモリ２４２および２８２は、ＢＳ１１０およびＵＥ１２０のためのデータおよびプログラム・コードをそれぞれ記憶し得る。スケジューラ２４６は、ダウンリンクおよび／またはアップリンク上でのデータ送信のためにＵＥをスケジューリングし得る。
【００３８】
[0043]  図３は、ＬＴＥにおけるＦＤＤのための実例的なフレーム構造３００を示す。ダウンリンクおよびアップリンクの各々に関わる送信タイムライン（transmission timeline）は、無線フレームの単位に分割され得る。各無線フレームは、所定の持続時間（例えば、１０ミリ秒（ｍｓ））を有し得、０乃至９のインデックスを有する１０個のサブフレームに分割され得る。各サブフレームは、２つのスロットを含み得る。かくして、各無線フレームは、０乃至１９のインデックスを有する２０個のスロットを含み得る。各スロットは、Ｌ個のシンボル期間、例えば、（図３に示されるような）通常のサイクリック・プレフィックス（a normal cyclic prefix）に関わる７個のシンボル期間、または拡張されたサイクリック・プレフィックス（an extended cyclic prefix）に関わる６個のシンボル期間を含み得る。各サブフレームにおける２Ｌ個のシンボル期間は、０乃至２Ｌ−１のインデックスを割り当てられ得る。
【００３９】
[0044]  ＬＴＥにおいて、ｅＮＢは、ｅＮＢによってサポートされる各セルに対してシステム帯域幅の中心１．０８ＭＨｚにおけるダウンリンク上でプライマリ同期信号（ＰＳＳ）およびセカンダリ同期信号（ＳＳＳ）を送信し得る。ＰＳＳおよびＳＳＳは、図３に示されるように、通常のサイクリック・プレフィクスを備えた各無線フレームのサブフレーム０および５におけるシンボル期間６および５で、それぞれ、送信され得る。ＰＳＳおよびＳＳＳは、セルの探索および捕捉のためにＵＥによって使用され得る。ｅＮＢは、ｅＮＢによってサポートされる各セルに対してシステム帯域幅にわたってセル固有基準信号（ＣＲＳ）を送信し得る。ＣＲＳは、各サブフレームの特定のシンボル期間において送信され得、チャネル推定、チャネル品質測定（channel quality measurement）、および／または他の機能を実施するためにＵＥによって使用され得る。ｅＮＢはまた、特定の無線フレームのスロット１におけるシンボル期間０乃至３で物理ブロードキャスト・チャネル（ＰＢＣＨ）を送信し得る。
【００４０】
[0045]  ＰＢＣＨは、セルへの初期アクセスなどのためにＵＥによって使用されることができるシステム情報（例えばマスター情報ブロック（ＭＩＢ））を搬送し得る。ＰＢＣＨ内で搬送されるＭＩＢは、（例えば１６ビットの周期的冗長チェック（ＣＲＣ：cyclic redundancy check）の前に）２４ビットのペイロード・サイズを有し得る。２４ビットのうちの８ビットは、システム・フレーム・ナンバー（ＳＦＮ）のために使用され得、２４ビットのうちの４ビットは、（例えばネットワークでサポートされる全帯域幅を指示するための）システム帯域幅インジケータとして使用され得、２４ビットのうちの２ビットは、物理ハイブリット自動反復要求（ＡＲＱ：automatic repeat request）インジケータ・チャネル（ＰＨＩＣＨ）リソース・インジケータとして使用され得、２４ビットのうちの１ビットは、ＰＨＩＣＨ期間インジケータ（PHICH time-span indicator）として使用され得、２４ビットのうちの９ビットは、保留され得る。
【００４１】
[0046]  ｅＮＢはまた、特定のサブフレームにおける物理ダウンリンク共有チャネル（ＰＤＳＣＨ）上でシステム情報ブロック（ＳＩＢ）のような他のシステム情報を送信し得る。ｅＮＢは、サブフレームの最初のＢ個のシンボル期間（the first B symbol periods）における物理ダウンリンク制御チャネル（ＰＤＣＣＨ）上で制御情報／データを送信し得、ここにおいて、Ｂはサブフレームごとに設定可能であり得る。ｅＮＢは、各サブフレームの残りのシンボル期間におけるＰＤＳＣＨ上でトラヒック・データおよび／または他のデータを送信し得る。
【００４２】
[0047]  ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ ＴＳ ３６．２１１で説明されており、これは公に入手可能である。
【００４３】
[0048]  図４は、２つの例として、通常のサイクリック・プレフィックスを有するダウンリンクのためのサブフレーム・フォーマット４１０および４２０を示す。ダウンリンクのために利用可能な時間周波数リソースは、リソース・ブロックに分割され得る。各リソース・ブロックは、１つのスロットにおいて１２個のサブキャリアをカバーし得、多くのリソース要素を含み得る。各リソース要素は、１つのシンボル期間において１つのサブキャリアをカバーし得、実数値または複素数値であり得る１つの変調シンボルを送るために使用され得る。
【００４４】
[0049]  サブフレーム・フォーマット４１０は、２個のアンテナを備えたｅＮＢのために使用され得る。ＣＲＳは、シンボル期間０、４、７、および１１においてアンテナ０および１から送信され得る。基準信号は、送信機と受信機とによってアプリオリ（a priori）に知られている信号であり、パイロットとも呼ばれ得る。ＣＲＳは、例えば、セル・アイデンティティ（ＩＤ）に基づいて生成されたセルのための固有の基準信号である。図４では、ラベルＲａを有する所与のリソース要素に関して、変調シンボルは、アンテナａからそのリソース要素上で送信され得、いずれの変調シンボルも、他のアンテナからは、そのリソース要素上で送信され得ない。サブフレーム・フォーマット４２０は、４個のアンテナが装備されたｅＮＢのために使用され得る。ＣＲＳは、シンボル期間０、４、７、および１１においてはアンテナ０および１から、シンボル期間１および８においてはアンテナ２および３から、送信され得る。サブフレーム・フォーマット４１０および４２０の両方に関して、ＣＲＳは、均等に間隔を空けたサブキャリア上で送信され得、それは、セルＩＤに基づいて決定され得る。異なるｅＮＢは、それらのセルＩＤに依存して、同じまたは異なるサブキャリア上でそれらのＣＲＳを送信し得る。サブフレーム・フォーマット４１０および４２０の両方に関して、ＣＲＳのために使用されないリソース要素は、データ（例えば、トラヒック・データ、制御データ、および／または他のデータ）を送信するために使用され得る。
【００４５】
[0050]  インターレース構造は、ＬＴＥにおけるＦＤＤのためのダウンリンクおよびアップリンクの各々に対して使用され得る。例えば、０乃至Ｑ−１のインデックスを有するＱ個のインターレースが定義され得、ここにおいて、Ｑは、４、６、８、１０に等しい、または何らかの他の値であり得る。各インターレースは、Ｑ個のフレームによって間隔を空けたサブフレームを含み得る。特に、インターレースｑは、サブフレームｑ、ｑ＋Ｑ、ｑ＋２Ｑなどを含み得、ここで、  
【００４６】
【数１】
2018509078.tif 000003
【００４７】
[0051]  ワイヤレス・ネットワークは、ダウンリンクおよびアップリンク上でのデータ送信に関するハイブリッド自動再送要求（ＨＡＲＱ：hybrid automatic retransmission request）をサポートし得る。ＨＡＲＱに関して、送信機（例えば、ｅＮＢ）は、パケットが受信機（例えば、ＵＥ）によって正しく復号されるまで、または何らかの他の終了条件が発生するまで、パケットの１つまたは複数の送信を送り得る。同期ＨＡＲＱに関して、パケットのすべての送信は、単一のインターレースのサブフレームにおいて送られ得る。非同期のＨＡＲＱに関して、パケットの各送信は、任意のサブフレームにおいて送られ得る。
【００４８】
[0052]  ＵＥは、複数のｅＮＢのカバレッジ内に置かれ得る。これらｅＮＢのうちの１つは、ＵＥにサーブする（serve）ために選択され得る。サービング（serving）ｅＮＢは、受信信号強度、受信信号品質、パスロス（pathloss）などのようなさまざまな基準に基づいて選択され得る。受信信号品質は、信号対干渉および雑音比（ＳＩＮＲ）、または、基準信号受信品質（ＲＳＲＱ）、あるいは何らかの他のメトリック（metric）によって定量化され（quantified）得る。ＵＥは、ＵＥが１つまたは複数の干渉するｅＮＢから高い干渉を観測し得る支配的干渉シナリオ（dominant interference scenario）において、動作し得る。
【００４９】
[0053]  上述されたように、ワイヤレス通信ネットワーク（例えば、ワイヤレス通信ネットワーク１００）における１つまたは複数のＵＥは、ワイヤレス通信ネットワークにおける他の（非低コストの）デバイスと比較して、例えば低コストＵＥなど、制限された通信リソースを有するデバイスであり得る。例えば、上述のように、低コストＵＥは、リンク量制限デバイス（link budget limited device）であり得、それのリンク量制限（link budget limitation）に基づいて（例えば、低コストＵＥから、または低コストＵＥへ、送信されるメッセージに対する異なる数の反復を使用して）異なるモードの動作で動作し得る。例えば、いくつかの場合では、低コストＵＥは、反復が皆無であるかほとんどない（例えば、メッセージを成功裏に受信および／または送信するためにＵＥに必要とされる反復の量が少ないか、反復がもはや必要ない）通常のカバレッジ・モードで動作し得る。代わりに、いくつかの場合では、低コストＵＥは、反復の量が多くなり得るカバレッジ・エンハンスメント（ＣＥ：coverage enhancement）モードで動作し得る。さらに、下記により詳細に説明されるように、いくつかの場合では、非低コストＵＥもまた、ＣＥモードをサポートすることが可能であり得る。
【００５０】
[0054]  ＬＴＥシステム内での共存の一例として、ＣＥモードのもとで動作する、低コストＵＥおよび／または非低コストＵＥは、ＰＢＣＨを（反復をともなって）受信することが可能であり得る。例えば、低コストＵＥおよび／または非低コストＵＥは、（例えば、劣悪な無線チャネル状態におけるＵＥがセルにおいて送信されたＰＢＣＨを成功裏に受信および／または復号することができるように）複数のサブフレームにわたってＰＢＣＨの１つまたは複数の追加の反復をともなって、ＰＢＣＨを受信することが可能であり得る。ＰＢＣＨの反復は、サブフレーム０内に、さらに他のサブフレーム（例えばサブフレーム５など）に、あり得る。
【００５１】
[0055]  上述されたように、ＰＢＣＨの９ビットは保留され得る。いくつかの場合では、ＭＴＣおよび／またはｅＭＴＣ動作を容易にするために、ＰＢＣＨにおける９つの保留ビットは、ＭＴＣおよび／またはｅＭＴＣの目的のために再利用され得る。例えば、１つのインプリメンテーションでは、保留されたビットの可能な使用が、ＣＥモードのサポートを指示するために１ビットを使用し、ｅＭＴＣ動作（例えばＬＴＥ Ｒｅｌ−１３ＭＴＣ ＵＥ）のためのサポートを指示するために１ビットを使用し、ＭＴＣおよび／またはｅＭＴＣデバイスのためのブロードキャストするシグナリング（broadcasting signaling）（例えば、非低コストＵＥのために使用されるブロードキャストするシグナリングとは別個のＭＴＣ−ＳＩＢ１）の時間周波数ポジションを指示するために２乃至３ビットを使用し、ＭＴＣ−ＳＩＢ１のＴＢＳを指示するために２ビットを使用し、制御フォーマット・インジケータ（ＣＦＩ）を指示するために２ビットを使用することを、含み得る。しかしながら、保留されたビットに関して、ビットの他の組み合わせがサポートされ得、および／またはビットによって指示される他の情報（またはアプリケーション）も同様に含まれ得ることが、留意されるべきである。
【００５２】
[0056]  いくつかの場合では、十分な数の予備のビット（例えば４乃至５ビット）が、将来の使用のために保留され得る。例えば、保留されたビットの上述のインプリメンテーションは、残りの４乃至５ビットが他のタイプのアプリケーション（例えば将来のアプリケーション）のために使用されることができるように、４乃至５ビットに制限され得る。
【００５３】
ＭＴＣのためのＭＩＢにおけるサービス・タイプを指示するための技術
[0057]  上述されたように、いくつかの場合では、ＭＩＢ内での保留されたビットの使用は、そのビットのうちのいくつかがＭＴＣのためにのみ使用され得、そのビットのうちのいくつかが他の将来のアプリケーションのために保留され得るように、静的な分割を受け（be subject to a static split）得る。しかしながら、いくつかの場合では、ＭＴＣと将来のアプリケーションとの間のこの静的な分割は、効率的でない可能性がある。
【００５４】
[0058]  しかしながら、いくつかの場合では、ＭＴＣと将来のアプリケーションとの間のこの静的な分割は、効率的でない可能性がある。例えば、保留されたビットの間で、静的な分割は、次のことを必要とし得る。  
ＮＭＴＣ ＋ ＮFuture ＝ 9  
ここでＮＭＴＣは、ＭＴＣのために使用される保留されたビットの数に対応し、ＮFutureは、将来のアプリケーションのために使用される保留されたビットの数に対応する。いくつかの場合では、分割がＮＭＴＣとＮFutureとの間でどのように行われるかに関わらず、ＭＴＣおよび／または将来のアプリケーションのために使用される保留されたビットの数は、制限され得る。
【００５５】
[0059]  その結果、低コストＵＥおよび非低コストＵＥの両方のためにＰＢＣＨのＭＩＢ内の保留されたビットを使用するための効率的な方法を提供することが望ましくなり得る。
【００５６】
[0060]  したがって、本開示の態様は、１つまたは複数のアプリケーションがサポートされるかどうかを、保留されたビットの間の１つまたは複数のビットで、指示するための技術を提供する。
【００５７】
[0061]  図５は、本開示の特定の態様にしたがって、ワイヤレス通信に関する実例的な動作５００を例示する。動作５００は、図１および２において示される複数のＵＥ１２０のうちの１つであり得るＵＥ、例えば低コストＵＥ、非低コストＵＥなど、によって実施されることができる。
【００５８】
[0062]  動作５００は、５０２において開始し得、ここにおいてＵＥは、（例えばＢＳから）ＰＢＣＨを受信する。５０４において、ＵＥは、ＰＢＣＨにおける第１の１つまたは複数のビットに基づいて、ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、決定する。例えば、第１のタイプのアプリケーションは、ＭＴＣまたはＩｏＴアプリケーションを含み得、第２のタイプのアプリケーションは、非ＭＴＣまたは非ＩｏＴアプリケーションを含み得る。
【００５９】
[0063]  図６は、本開示の特定の態様にしたがって、ワイヤレス通信に関する実例的な動作６００を例示する。動作６００は、ＢＳ、例えば、図１および２において示される複数のＢＳ／ｅＮＢ１１０のうちの１つ、によって実施されることができる。
【００６０】
[0064]  動作６００は、６０２において開始し得、ここにおいてＢＳはＰＢＣＨを（例えば、１つまたは複数のＵＥ、例えば低コストＵＥおよび／または非低コストＵＥ、に）送信する。６０４において、ＢＳは、ＰＢＣＨにおける第１の１つまたは複数のビットを介して、ＰＢＣＨにおける第２の１つまたは複数のビットが、第１のタイプのアプリケーションに関連する通信のための制御情報を指示するために使用されるか、あるいは第２のタイプのアプリケーションに関連する通信のための制御情報を指示するために使用されるかを、指示する。第１のタイプのアプリケーションは、ＭＴＣまたはＩｏＴアプリケーションを含み得、第２のタイプのアプリケーションは、非ＭＴＣまたは非ＩｏＴアプリケーションを含み得る。
【００６１】
[0065]  特定の態様にしたがって、ＰＢＣＨの第１の１つまたは複数のビットは１ビットを含み得る。例えば、保留されたビットの間で、ＢＳは、ＰＢＣＨの残りのビット（例えば第２の１つまたは複数のビット）が、（例えばＭＴＣ／ｅＭＴＣ／ＩｏＴ動作に関連し得る）第１のタイプのアプリケーションに関わるか、（例えば非ＭＴＣ／ｅＭＴＣ／ＩｏＴ動作に関連し得る）第２のタイプのアプリケーションに関わるか、を指示するために１ビットを使用し得る。
【００６２】
[0066]  特定の態様にしたがって、ＰＢＣＨの第１の１つまたは複数のビットは、さらなるタイプのアプリケーションを指示するために１つ以上のビットを含み得る。１つのインプリメンテーションでは、第１の１つまたは複数のビットは、少なくとも２ビットを含み、ここにおいて、ビット値の異なる組み合わせは、第１のタイプのアプリケーションおよび／または第２のタイプのアプリケーションに関わる制御情報を指示する。例えば、ビット値の異なる組み合わせは、カバレッジ・エンハンスメントなしのＭＴＣ、カバレッジ・エンハンスメントを有するＭＴＣ、カバレッジ・エンハンスメントなしの非ＭＴＣ、またはカバレッジ・エンハンスメントを有する非ＭＴＣ、を指示し得る。１つのインプリメンテーションでは、ＢＳは、サポートされるアプリケーションまたはサービスのタイプを指示するために（例えば表１に示されているように）２ビットを使用し得る。
【００６３】
【表１】
2018509078.tif 000004
【００６４】
[0067]  特定の態様にしたがって、第１のビットのうちの１つまたは複数のビットは、第２の１つまたは複数のビットののうちの１つまたは複数の目的を指示するサービス・インジケータを含み得る。例えば、特定の態様において、「サービス・インジケータ」（例えば第１のビットのうちの１つまたは複数のビット）に依存して、残りのビット（例えば、第２の１つまたは複数のビット）が、指示されたサービスにしたがって解釈され（interpreted）得る。例えば、１つの場合では、保留されたビットのうちの第１の２ビットが「サービス・インジケータ」として指定される場合、第１の２ビットのうちの第１番目のビットは、ＭＴＣまたはＩｏＴインジケータであり得、第１の２ビットのうちの第２番目のビットは、カバレッジ・エンハンスメント（ＣＥ）インジケータであり得る。
【００６５】
[0068]  したがって、特定の態様では、上記の場合において、サービス・インジケータとして使用される２ビットに基づいて、保留されたビットのうちの残りの７ビットの目的が、下記の表にしたがって決定され得る。
【００６６】
【表２】
2018509078.tif 000005
【００６７】
[0069]  表２に示されているように、ＭＴＣおよびＣＥインジケータの値の第１の組み合わせ（例えば「００」）は、第２の１つまたは複数のビットが保留されていることを指示し得る。さらに示されているように、ＭＴＣおよびＣＥインジケータの値の第２の組み合わせ（例えば、「０１」または「１０」または「１１」）は、第２の１つまたは複数のビットがＳＩＢの時間周波数ポジション、ＳＩＢのトランスポート・ブロック・サイズ、制御フォーマット・インジケータ、保留されたビットなど、のうちの少なくとも１つを指示するために使用されることを指示し得る。しかしながら、表２がサービス・インジケータとして使用され得る保留されたビットのうちの複数のビットの単なる１つの参照例を例示していることに、留意されたい。概して、当業者は、保留されたビットのうちの他のビットおよび複数のビットの他の組み合わせが（第１の２ビットとは対照的に）サポートされるサービスのタイプを指示するために使用され得ることを、理解するだろう。
【００６８】
[0070]  特定の態様にしたがって、（例えば図１および２に示されている）１つまたは複数のＢＳ／ｅＮＢの各々は、それぞれのＢＳの特定の必要性（need）に基づいて「サービス・インジケータ」として使用される１つまたは複数のビットを決定し得る。例えば、ＢＳは、夜間の数時間の間に（during night-time hours）ＭＴＣサービスをサポートすることをオンにし、日中の数時間の間に（during daytime hours）ＭＴＣ／ＩｏＴサービスをサポートすることをオフにすることが可能であり得る。サービスの他の指定、および／または他の時間周期が、同様にサポートされ得る。
【００６９】
[0071]  特定の態様にしたがって、保留されたビットの１つまたは複数のビットはまた、将来のアプリケーションのために保留され得る。例えば、２ビットが「サービス・インジケータ」として（例えばＭＴＣに対して１つ、ＣＥモードに対して１つ）使用される場合、残りの７ビットに関しては、５ビットが（１つまたは複数の）サービスに依存した情報フィールド（service-dependent information field(s)）のために使用され得、２ビットが保留され得る。特定の態様では、５ビットが（例えば上述された方法と同じ方法で）「サービス・インジケータ」に基づいて解釈され（interpreted）得る。特定の態様では、保留された２ビットに関して、（２ビットのサービス・インジケータと組み合され得る、または別個であり得る）１ビットが、少なくとも新しいサービス・タイプを指示するために使用され得る。特定の態様では、サービスに依存した情報フィールドのために使用される５ビットはまた、この新しいサービス・タイプに基づいて解釈され得る。
【００７０】
[0072]  特定の態様にしたがって、ＢＳ／ｅＮＢは、ワイヤレス通信ネットワークにおける１つまたは複数のＵＥ（例えば低コストＵＥおよび／または非低コストＵＥ）に「サービス・インジケータ」をブロードキャストし得る。特定の態様では、ＰＢＣＨの保留されたビットのうちの多くの情報ビットがサービング・タイプのインジケータに依存して解釈され得るように、「サービス・インジケータ」が、ブロードキャストされ得る。いくつかの場合では、「サービス・インジケータ」に基づく解釈に従う（subject to interpretation）情報ビットの数は、全てのサービス・タイプに対して固定であり得る。いくつかの場合では、「サービス・インジケータ」に基づく解釈に従う情報ビットの数は、サービス・タイプによって異なり得る。この場合では、保留されるビットの数はまた、異なるサービス・タイプに対して異なり得る。例えば、サービス・タイプ１に対しては保留された５ビットがあり得、サービス・タイプ２に対しては保留された４ビットがあり得る。さらに、いくつかの場合では、全てのサービス・タイプ、または１グループのサービス・タイプに共通し得る、保留されたビットの特定のセットがあり得る。例えば、共通のサーチ・スぺースに関連した情報に対して２ビットのインジケータがあり得る。加えて、特定の態様にしたがって、「サービス・インジケータ」によって指示されるサービスのタイプを拡大するために使用され得る１つまたは複数の保留されたビットがあり得る。
【００７１】
[0073]  特定の態様にしたがって、ＭＴＣ−ＳＩＢは、ユニキャスト・チャネルおよび／またはブロードキャスト・チャネルに関わる開始シンボルを指示することが可能であり得る。したがって、この場合では、制御トラヒックに関して、ＰＣＦＩＣＨに関わる開始シンボルは、ＭＴＣ−ＳＩＢが指示した開始シンボルに後続し得る。いくつかの場合では、ユニキャスト制御トラヒックに関して、開始シンボルは、ＲＣＣシグナリングに基づいて構成され得る。データ・トラヒックに関して、関連付けされた制御チャネルが無い場合、ＰＣＦＩＣＨに関わる開始シンボルは、ＭＴＣ−ＳＩＢが指示した開始シンボルまたはＲＲＣ構成の開始シンボルに後続し得る。代わって、開始シンボルは、関連付けされた制御チャネルにおいて指示される開始シンボルに後続し得る。
【００７２】
[0074]  上述のように、本開示の態様は、マシン・タイプの通信デバイスに対して第１のタイプのアプリケーションまたは第２のタイプのアプリケーションに関連した通信に関わる制御情報をシグナリングするためのさまざまな技術を提供する。
【００７３】
[0075]  本書で使用される場合、アイテムのリスト「のうちの少なくとも１つ」というフレーズは、単一の構成要素（members）を含む、それらのアイテムの任意の組み合わせに言及する。例として、「ａ、ｂ、またはｃのうちの少なくとも１つ」は、ａ、ｂ、ｃ、ａ−ｂ、ａ−ｃ、ｂ−ｃ、およびａ−ｂ−ｃと、ならびに同様の要素の倍数との任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）をカバーするように意図されている。
【００７４】
[0076]  本書で使用される場合、「決定すること」という用語は、幅広い動作を包含する。例えば、「決定すること」は、算出すること、計算すること、処理すること、導出すること、調査すること、ルックアップすること（例えば、表、データベースまたは別のデータ構造内においてルックアップすること）、確定することなどを含み得る。また、「決定すること」は、受信すること（例えば、情報を受信すること）、アクセスすること（例えば、メモリ内におけるデータにアクセスすること）などを含み得る。また、「決定すること」は、解決すること、選択すること、選ぶこと、確立することなどを含み得る。
【００７５】
[0077]  いくつかの場合では、実際にフレームを通信するというよりは、デバイスは、送信または受信のためのフレームを通信するためのインターフェースを有し得る。例えば、プロセッサは、送信のための無線周波数（ＲＦ）フロント・エンドに、バス・インターフェースを介して、フレームを出力し得る。同様に、実際にフレームを受信するというよりは、デバイスは、別のデバイスから受信されるフレームを取得するためのインターフェースを有し得る。例えば、プロセッサは、送信のためのＲＦフロント・エンドから、バス・インターフェースを介して、フレームを取得（または受信）し得る。
【００７６】
[0078]  本書において開示された方法は、説明された方法を達成するための１つまたは複数のステップまたは動作を備える。方法のステップおよび／または動作は、特許請求の範囲から逸脱することなく互いに置き換えられ得る。言い換えれば、ステップまたは動作の特有の順序が指定されない限り、特有のステップおよび／または動作の順序および／または使用は、特許請求の範囲から逸脱することなしに修正され得る。
【００７７】
[0079]  上述された方法のさまざまな動作は、対応する機能を実施することが可能である任意の適した手段によって実施され得る。その手段は、回路、特定用途向け集積回路（ＡＳＩＣ）、またはプロセッサを含むがそれらに限定されない、さまざまな（１つまたは複数の）ハードウェアおよび／またはソフトウェア・コンポーネントおよび／またはモジュールを含み得る。ソフトウェアは、ソフトウェア、ファームウェア、ミドルウェア、コード、マイクロコード、ハードウェア記述言語、マシン言語、またはその他の名称のうちいずれで呼ばれる場合も、命令、データ、コード、またはそれらの任意の組み合わせを意味するものとして広く解釈されるべきである。一般に、図面に例示された動作が存在する場合、これらの動作は、任意の適切な対応するミーンズ・プラス・ファンクション・コンポーネントによって実施され得る。
【００７８】
[0080]  例えば、決定するための手段は、１つまたは複数のプロセッサ、例えば、受信プロセッサ２５８、コントローラ／プロセッサ２８０、送信プロセッサ２６４、および／または図２に示されているユーザ端末１２０の他のプロセッサおよびモジュールを、含み得る。受信するための手段は、図２において示されているユーザ端末１２０の（１つまたは複数の）アンテナ２５２および／または受信プロセッサ（例えば、受信プロセッサ２５８）を含み得る。送信するための手段は、図２に示されている（１つまたは複数の）アンテナ２３４および／またはｅＮＢ１１０の送信プロセッサ（例えば、送信プロセッサ２２０）を備え得る。指示するための手段は、１つまたは複数のプロセッサ、例えば、送信プロセッサ２２０、コントローラ／プロセッサ２４０、および／または図２に示されているｅＮＢ１１０の他のプロセッサおよびモジュールを、含み得る。
【００７９】
[0081]  当業者は、情報および信号が多様な異なる技術ならびに技法のいずれかを使用して表され得ることを理解するだろう。例えば、上記の説明全体を通して参照され得る、データ、命令、コマンド、情報、信号、ビット、シンボル、およびチップは、電圧、電流、電磁波、磁界または磁気粒子、光場または光粒子、もしくはこれらの任意の組み合わせによって表わされ得る。
【００８０】
[0082]  さらに、本書の開示に関して説明したさまざまな例示的な論理ブロック、モジュール、回路、およびアルゴリズム・ステップは、ハードウェア、ソフトウェア、またはそれらの組み合わせとしてインプリメントされ得ることを、当業者は理解するだろう。ハードウェアおよびソフトウェアのこの互換性を明確に例示するために、さまざまな例示的なコンポーネント、ブロック、モジュール、回路、およびステップが、一般にそれらの機能性の観点から上述されてきた。このような機能が、ハードウェアとしてインプリメントされるか、あるいはソフトウェアとしてインプリメントされるかは、特定のアプリケーションおよびシステム全体に課せられる設計制約に依存する。当業者は、説明された機能を特定のアプリケーションごとにさまざまな方法でインプリメントし得るが、そのようなインプリメンテーションの決定は、本開示の範囲からの逸脱を引き起こすものとして解釈されるべきではない。
【００８１】
[0083]  本書における開示に関連して説明されたさまざまな例示的な論理ブロック、モジュール、および回路は、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）または他のプログラマブル論理デバイス、離散ゲートまたはトランジスタ論理、離散ハードウェア・コンポーネント、または本書において説明された機能を実施するように設計されたそれらの任意の組み合わせを用いてインプリメントまたは実施され得る。汎用プロセッサはマイクロプロセッサであり得るが、代替として、プロセッサは任意の従来のプロセッサ、コントローラ、マイクロコントローラ、またはステート・マシンであり得る。プロセッサはまた、例えば、ＤＳＰとマイクロプロセッサとの組み合わせ、複数のマイクロプロセッサ、ＤＳＰコアと連結した１つまたは複数のマイクロプロセッサ、または任意の他のそのような構成のような、コンピューティング・デバイスの組み合わせとしてインプリメントされ得る。
【００８２】
[0084]  本開示に関連して説明されたアルゴリズムまたは方法のステップは、直接的にハードウェアで、プロセッサによって実行されるソフトウェア・モジュールで、またはそれらの組み合わせで具現化され得る。ソフトウェア・モジュールは、ＲＡＭメモリ、フラッシュ・メモリ、ＲＯＭメモリ、ＥＰＲＯＭメモリ、ＥＥＰＲＯＭ（登録商標）メモリ、相変化メモリ（phase change memory）、レジスタ、ハード・ディスク、リムーバブル・ディスク、ＣＤ-ＲＯＭ、または本分野で知られているその他任意の形態の記憶媒体において存在し得る。例示的な記憶媒体は、プロセッサが、記憶媒体から情報を読み取り、および記憶媒体に情報を書き込むことができるようにプロセッサに結合される。代替において、記憶媒体は、プロセッサと一体化され得る。プロセッサおよび記憶媒体は、ＡＳＩＣ中に存在し得る。ＡＳＩＣは、ユーザ端末中に存在し得る。代替において、プロセッサおよび記憶媒体は、ユーザ端末中に離散コンポーネントとして存在し得る。
【００８３】
[0085]  １つまたは複数の例示的な設計では、説明した機能は、ハードウェア、ソフトウェア、またはそれらの組み合わせでインプリメントされ得る。ソフトウェアでインプリメントされる場合、機能は、コンピュータ可読媒体上における１つまたは複数の命令またはコードとして記憶または送信され得る。コンピュータ可読媒体は、ある場所から別の場所へのコンピュータ・プログラムの転送を容易にする任意の媒体を含む通信媒体と、コンピュータ記憶媒体との両方を含む。記憶媒体は、汎用または専用コンピュータによってアクセスされることができる任意の入手可能な媒体であり得る。限定ではなく例として、コンピュータ可読媒体は、ＲＡＭ、ＲＯＭ、ＥＥＰＲＯＭ、ＣＤ／ＤＶＤまたは他の光学ディスク記憶装置、磁気ディスク記憶装置または他の磁気記憶デバイス、あるいは命令またはデータ構造の形態で所望のプログラム・コード手段を搬送または記憶するために使用されることができる、および汎用または専用コンピュータ、あるいは汎用または専用プロセッサによってアクセスされることができるあらゆる他の媒体を備えることができる。また、任意の接続は、厳密にはコンピュータ可読媒体と称される。例えば、ソフトウェアが、同軸ケーブル、光ファイバー・ケーブル、ツイスト・ペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバー・ケーブル、ツイスト・ペア、ＤＳＬ、または赤外線、無線、およびマイクロ波のようなワイヤレス技術は、媒体の定義に含まれる。本書で使用される場合、ディスク（disk）およびディスク（disc）は、コンパクト・ディスク（ＣＤ）、レーザー・ディスク、光ディスク、デジタル多用途ディスク（ＤＶＤ）、フロッピー（登録商標）ディスク、およびブルーレイ・ディスクを含み、ここでディスク（disk）は通常、磁気的にデータを再生し、ディスク（disc）は、レーザーを用いて光学的にデータを再生する。上記の組み合わせもまた、コンピュータ可読媒体の範囲内に含まれるべきである。
【００８４】
[0086]  本開示の先の説明は、当業者が本開示を製造または使用することを可能にするために提供される。本開示に対するさまざまな修正は、当業者に容易に明らかであり、本書に定義されている包括的な原理は、本開示の精神または範囲から逸脱せずに、他のバリエーションに適用され得る。かくして、本開示は、本書において説明された例および設計に限定されるよう意図されず、本書で開示された原理および新規の特徴と一致する最も幅広い範囲が付与されるべきである。
【図１】
2018509078.tif 000006
【図２】
2018509078.tif 000007
【図３】
2018509078.tif 000008
【図４】
2018509078.tif 000009
【図５】
2018509078.tif 000010
【図６】
2018509078.tif 000011
【国際調査報告】
2018509078.tif 000012
2018509078.tif 000013
2018509078.tif 000014